(57)【要約】【課題】消毒液を貯留してあるタンクからノズルに向けて消毒液を送出し、送出した消毒液を前記タンクに戻すことができる土壌消毒機を提供する。【解決手段】トラクタ１に、土壌を消毒する消毒液５０を貯留するメインタンク３及びサブタンクを設け、前記メインタンク３の消毒液５０を、ポンプ６により切替弁２４に向けて送出し、該切替弁２４に、注入刀１５に接続してある供給管２５及びサブタンクに接続してある戻し管１０を接続し、消毒液５０の送出先を、前記供給管２５又は戻し管１０に切り替える構成とした。【選択図】図１
2008283905.tif 000002
【特許請求の範囲】
【請求項１】
走行機体と、該走行機体に設けてあり、土壌を消毒する消毒液を貯留するタンクと、該タンクから消毒液を送出するポンプと、該ポンプから送出された消毒液を複数のノズルへ供給する複数の供給管とを備える土壌消毒機において、
前記供給管にそれぞれ連結してあり、消毒液の送出先を切り替える複数の切替弁と、
該切替弁に連結してあり、消毒液を前記タンクへ戻す戻し管と
を備えることを特徴とする土壌消毒機。
【請求項２】
消毒液の流量を調整する複数の調整部材を前記供給管及び戻し管に設けてあることを特徴とする請求項１に記載の土壌消毒機。
【請求項３】
前記調整部材はオリフィスを備えることを特徴とする請求項１又は２に記載の土壌消毒機。
【発明の詳細な説明】
【技術分野】
【０００１】
本発明は、タンクからノズルに向けて送出した消毒液を前記タンクに戻すことができる土壌消毒機に関する。
【背景技術】
【０００２】
従来の土壌消毒機は走行機体、例えばトラクタに消毒液を貯留してあるタンクを搭載し、また消毒液を送出するポンプと、該消毒液を土壌に注入する複数のノズルとを設け、前記トラクタの後部に混和ロータリを装着して、前記ポンプにより消毒液を複数のノズルに向けて送出し、該ノズルを土壌に突き刺して消毒液を土壌に注入し、消毒液を注入した土壌を前記混和ロータリにより混和して、土壌を消毒していた（特許文献１参照）。
【０００３】
また複数のノズルにバルブをそれぞれ設けてある土壌消毒機が従来から提案されている。消毒作業の終盤に圃場の端にて消毒作業を行っている場合であって、消毒作業を行う幅が消毒すべき土壌の幅よりも大きいときには、既に消毒してある土壌を再度消毒する虞がある。そのため消毒液の注入を行う必要のない一部のノズルのバルブを閉じて消毒作業を行い、消毒液を過剰に注入することによる薬害の発生を防止していた。
【特許文献１】特開２００１−１６１２４７号公報
【発明の開示】
【発明が解決しようとする課題】
【０００４】
前記一部のノズルのバルブを閉じたときは、前記ポンプによる消毒液の送出量は一定であり、残りのノズルから噴射する消毒液の流量が増加するので、消毒作業を行う前にポンプの回転数を変更して、残りのノズルから噴射する消毒液の流量を調整する必要があった。
【０００５】
本発明は斯かる事情に鑑みてなされたものであり、ポンプから送出された消毒液を複数のノズルへ供給する複数の供給管に、消毒液の送出先を切り替える複数の切替弁をそれぞれ連結し、該切替弁に、消毒液を前記タンクへ戻す戻し管を連結することにより、消毒液の注入を行う必要のないノズルに供給される消毒液を、前記切替弁により前記戻し管に通流させて、消毒液の注入を行うノズルから噴射する消毒液の流量増加を抑制することができる土壌消毒機を提供することを目的とする。
【０００６】
また消毒液の流量を調整する複数の調整部材を前記供給管及び戻し管に設けることにより、前記切替弁を用いて、一の供給管を通流していた消毒液の送出先を前記戻し管に切り替えたときに、前記戻し管を通流する消毒液の流量を、一の供給管を通流していた消毒液の流量と略同量にして、消毒液の送出先を切り替えたときに、他の供給管を通流する消毒液の流量変化を抑制することができる土壌消毒機を提供することを目的とする。
【０００７】
また前記調整部材にオリフィスを使用することにより、前記供給管を通流する消毒液の流量と、前記戻し管を通流する消毒液の流量とを調整し、ノズルから噴射する消毒液の流量変化を抑制することができる土壌消毒機を提供することを目的とする。
【課題を解決するための手段】
【０００８】
本発明に係る土壌消毒機は、走行機体と、該走行機体に設けてあり、土壌を消毒する消毒液を貯留するタンクと、該タンクから消毒液を送出するポンプと、該ポンプから送出された消毒液を複数のノズルへ供給する複数の供給管とを備える土壌消毒機において、前記供給管にそれぞれ連結してあり、消毒液の送出先を切り替える複数の切替弁と、該切替弁に連結してあり、消毒液を前記タンクへ戻す戻し管とを備えることを特徴とする。
【０００９】
本発明においては、ポンプから送出された消毒液を複数のノズルへ供給する複数の供給管に、消毒液の送出先を切り替える複数の切替弁をそれぞれ連結し、該切替弁に、消毒液を前記タンクへ戻す戻し管を連結することにより、消毒液の注入を行う必要のないノズルに供給される消毒液を、前記切替弁により、前記戻し管に通流させてタンクに戻す。
【００１０】
また本発明に係る土壌消毒機は、消毒液の流量を調整する複数の調整部材を前記供給管及び戻し管に設けてあることを特徴とする。
【００１１】
本発明においては、消毒液の流量を調整する複数の調整部材を前記供給管及び戻し管に設けることにより、前記切替弁を用いて、一の供給管を通流していた消毒液の送出先を前記戻し管に切り替えたときに、前記戻し管を通流する消毒液の流量を、一の供給管を通流していた消毒液の流量と略同量にする。
【００１２】
また本発明に係る土壌消毒機は、前記調整部材はオリフィスを備えることを特徴とする。
【００１３】
本発明においては、前記調整部材にオリフィスを使用することにより、ノズルから噴射する消毒液の流量と、戻し管を通流してタンクに戻る消毒液の流量とを調整する。
【発明の効果】
【００１４】
本発明にあっては、ポンプから送出された消毒液を複数のノズルへ供給する複数の供給管に、消毒液の送出先を切り替える複数の切替弁をそれぞれ連結し、該切替弁に、消毒液を前記タンクへ戻す戻し管を連結することにより、消毒液の注入を行う必要のないノズルに供給される消毒液を、前記切替弁により、前記戻し管に通流させてタンクに戻し、消毒液の注入を行うノズルから噴射する消毒液の流量増加を抑制することができる。
【００１５】
また本発明にあっては、消毒液の流量を調整する複数の調整部材を前記供給管及び戻し管に設けることにより、前記切替弁を用いて、一の供給管を通流していた消毒液の送出先を前記戻し管に切り替えたときに、前記戻し管を通流する消毒液の流量を、一の供給管を通流していた消毒液の流量と略同量にして、消毒液の送出先を切り替えたときに、他の供給管を通流する消毒液の流量変化を抑制することができる。
【００１６】
また本発明にあっては、前記調整部材にオリフィスを使用することにより、ノズルから噴射する消毒液の流量と、戻し管を通流してタンクに戻る消毒液の流量とを調整し、ノズルから噴射する消毒液の流量変化を抑制することができる。
【発明を実施するための最良の形態】
【００１７】
以下、本発明に係る土壌消毒機を実施の形態を示す図面に基づいて詳述する。図１は土壌消毒機の要部構成を示す模式的側面外観図、図２はメインタンク付近の略示拡大図、図３はメインタンク及びサブタンクの略示平面図、図４はオリフィス部材の略示分解断面図、図５はフローメータ付近の略示拡大側面図、図６はフローメータ付近の略示拡大正面図、図７は土壌消毒機の管路を示す回路図である。
【００１８】
図１において１はトラクタであり、該トラクタ１の正面に二つの載置台２、２を設けてある。該載置台２、２に、消毒液５０を貯留してあるメインタンク３及びサブタンク４をそれぞれ載置してある。前記載置台２、２はトラクタ１側に傾斜しており、載置されたメインタンク３及びサブタンク４は二つのタンクベルト５、５により前記載置台２、２に固定してある。
【００１９】
前記メインタンク３の近傍にて、消毒液５０を送出するポンプ６が前記トラクタ１に設けてあり、該ポンプ６と前記メインタンク３とを連結するポンプ連結管７が設けてある。前記ポンプ６には、後述する切替弁２４、２４に向けて消毒液５０を通流させる通流管８が連結されており、前記ポンプ６の駆動により、メインタンク３の消毒液５０が前記切替弁２４、２４に向けて送出される構成になっている。また前記メインタンク３とサブタンク４とを連結するタンク連結管９が設けてあり、前記メインタンク３は密閉してある。前記ポンプ６の駆動により、前記メインタンク３に貯留してある消毒液５０を送出したときには、前記メインタンク３内の圧力が低下し、サブタンク４内に貯留してある消毒液５０が、前記タンク連結管９を通流してメインタンク３に吸入される構成となっている。なお前記サブタンク４の蓋部分には図示しない空気抜き孔を開設してあり、該空気抜き孔に、図示しないホースを取付けてある。
【００２０】
前記サブタンク４には、前記切替弁２４、２４に連結してある戻し管１０を接続してあり、メインタンク３から送出された消毒液５０が前記切替弁２４、２４を介して、前記サブタンク４に戻される構成にしてある。前記ポンプ６に空気抜きバルブ１１が隣接しており、前記通流管８の途中に、前記空気抜きバルブ１１に向けて分岐した分岐管８ａが設けてある。該分岐管８ａは空気抜きバルブ１１に接続してあり、前記通流管８に消毒液５０を送出したときに含まれる空気を、分岐管８ａに通して排出するようにしてある。前記空気抜きバルブ１１には、前記戻し管１０に連結してある連結管８ｂが接続してあり、前記分岐管８ａに空気と共に送出された消毒液５０を、該連結管８ｂ及び戻し管１０を通して、前記サブタンク４に戻す構成にしてある。
【００２１】
前記戻し管１０には消毒液５０の逆流を防ぎ、消毒液５０の流量を調整する逆止弁１２が設けてあり、該逆止弁１２の下流側に消毒液５０の流量を調整するオリフィス部材１３を設けてある。該オリフィス部材１３は、オリフィス板１３ａを収容し、該オリフィス板１３ａの孔に対応する貫通孔３１を底に開設してある有底円筒部３０と、前記貫通孔３１に連なり、外向きに突出した筒状の継手部３２とを有する収容部材１３ｂを備える。また前記オリフィス部材１３は、前記収容部材１３ｂに挿入し、前記オリフィス板１３ａを前記収容部材１３ｂとの間で嵌合固定する筒状の固定部材１３ｃと、該固定部材１３ｃに連結する継手部材１３ｄとを備える。なお前記継手部３２及び継手部材１３ｄには前記戻し管１０が連結される。
【００２２】
前記トラクタ１の後部には支持台１４を装着してあり、該支持台１４に、前記ポンプ６により前記メインタンク３から送出された消毒液５０を地中に注入する二つの注入刀１５、１５を設けてある。また前記支持台１４には、前記注入刀１５、１５により消毒液５０を注入された土壌を耕転して混和する混和ロータリ１６と、該混和ロータリ１６が混和した混和土壌部の高さに、前記支持台１４を支持する左右一対のゲージ輪１７、１７と、該ゲージ輪１７、１７管の混和土壌部を被覆するマルチシートのロール１８と、該ロール１８から引出されたマルチシートの幅方向両側部を押える左右一対のシート押え輪１９、１９と、該シート押え輪１９、１９が押えたマルチシートの両側部に土寄せする左右一対の土寄せ輪２０、２０とを、前記トラクタ１の進行方向前方から順次配設してある。
【００２３】
前記支持台１４から支持リンク２１が上方に延出しており、該支持リンク２１に、消毒液５０の通流状態を計測する二つのフローメータ２２、２２が支持してある。前記通流管８の、前記メインタンク３と反対側の先端部は二又に分かれており、前記フローメータ２２、２２の入口に、前記通流管８の二又に分かれた先端部が接続してある。
【００２４】
前記フローメータ２２、２２の近傍に、ポンプ６から送出された消毒液５０を取込むポンプポートＰ、取込んだ消毒液５０を前記サブタンク４に送出するタンクポートＴ及び取込んだ消毒液５０を前記注入刀１５に供給する供給ポートＳを備えており、切替レバー２４ａを設けてある二つの手動レバー形２位置２方向３ポート切替弁（以下切替弁という。）２４、２４を配設してある。切替弁２４、２４の前記ポンプポートＰ、Ｐに前記フローメータ２２、２２の出口が、パイプ２３を介してそれぞれ接続してあり、前記供給ポートＳ、Ｓに、前記注入刀１５、１５に消毒液５０を供給する二つの供給管２５、２５がそれぞれ接続してある。前記サブタンク４に消毒液５０を戻す戻し管１０の、前記サブタンク４と反対側の先端部は二又に分かれており、戻し管１０の二又に分かれた該先端部を、前記タンクポートＴ、Ｔにニップル２６、２６を介してそれぞれ接続してある。
【００２５】
前記切替弁２４は、前記切替レバー２４ａを、図５の白抜矢符にて示すように、前記供給管２５側に移動させたときに、前記通流管８から送出された消毒液５０を前記供給管２５に送出し、また前記切替レバー２４ａを前記戻し管１０側に移動させたときに、前記通流管８から送出された消毒液５０を戻し管１０に送出する構成にしてある。なお前記ニップル２６を前記フローメータ２２、２２に固定して、前記切替弁２４、２４を支持してあり、前記切替レバー２４ａ、２４ａをトラクタ１の運転席の近傍に配置してある。
【００２６】
前記供給管２５、２５に逆止弁２７、２７を設けてあり、該逆止弁２７、２７の下流側にオリフィス部材２８、２８を設けてある。該逆止弁２７、２７及びオリフィス部材２８、２８は、戻し管１０に設けてある前記逆止弁１２及びオリフィス部材１３と同様の構成にしてある。また前記供給管２５、２５の先端部を前記注入刀１５、１５に連結してある。
【００２７】
次に消毒液５０の通流経路について説明する。まず前記空気抜きバルブ１１を開き、前記ポンプ６を駆動して、前記ポンプ連結管７の内部にある空気を、図７に示す如く消毒液５０と共に前記分岐管８ａに送出し、前記連結管８ｂ及び戻し管１０を介して、前記サブタンク４に送出して、前記空気を排出する。
【００２８】
前記空気の排出が終了したときに前記空気抜きバルブ１１を閉じ、前記メインタンク３に貯留してある消毒液５０を、前記通流管８及びフローメータ２２、２２を通流させて、前記切替弁２４、２４に送出する。前記切替レバー２４ａを前記供給管２５側に移動させてある場合は、消毒液５０は前記供給管２５を通流し、前記注入刀１５に供給されて、土壌に注入される。前記切替レバー２４ａを前記戻し管１０側に移動させてある場合は、消毒液５０は前記戻し管１０を通流し、前記サブタンク４に送出される。前記ポンプ６の駆動により、前記メインタンク３に貯留してある消毒液５０が送出されて、前記メインタンク３内の圧力は低下しており、前記サブタンク４に貯留してある消毒液５０は、前記タンク連結管９を通流して前記メインタンク３に吸入される。
【００２９】
実施の形態に係る土壌消毒機にあっては、前記ポンプ６から送出された消毒液５０を複数の注入刀１５、１５へ供給する二つの供給管２５、２５に、消毒液５０の送出先を切り替える二つの切替弁２４、２４をそれぞれ連結し、該切替弁２４、２４に、消毒液５０を前記サブタンク４へ戻す戻し管１０を連結することにより、消毒液５０の注入を行う必要のない注入刀１５に供給される消毒液５０を、前記切替弁２４により、前記戻し管１０に通流させて前記サブタンク４に戻し、消毒液５０の注入を行う注入刀１５から噴射する消毒液５０の流量増加を抑制することができる。
【００３０】
また消毒液５０の流量を調整する複数の逆止弁１２、２７、２７及びオリフィス部材１３、２８、２８を、前記供給管２５、２５及び戻し管１０に設けることにより、前記切替弁２４を用いて、一方の供給管２５を通流していた消毒液５０の送出先を前記戻し管１０に切り替えたときに、前記戻し管１０を通流する消毒液５０の流量を、一方の供給管２５を通流していた消毒液５０の流量と略同量にして、消毒液５０の送出先を切り替えたときに、他方の供給管２５を通流する消毒液５０の流量変化を抑制することができる。なお前記供給管２５、２５に設ける逆止弁２７、２７及びオリフィス部材２８、２８と、前記戻し管１０に設ける逆止弁１２及びオリフィス部材１３とを同様の構成にすることにより、前記サブタンク４に戻される消毒液５０の流量と、前記注入刀１５から噴射する消毒液５０の流量とを、前記ポンプ６の回転数を変更することなく略同量にすることができる。
【００３１】
また消毒作業終了後に前記ポンプ連結管７を取外し、二つの前記切替レバー２４ａを前記戻し管１０側に移動させて、前記ポンプ６を駆動したときには、前記通流管８及び戻し管１０に残留している消毒液５０を前記サブタンク４に戻すことができる。また切替レバー２４ａ、２４ａをトラクタ１の運転席の近傍に配置しておくことにより、運転者は、運転席に座ったままで切替レバー２４ａ、２４ａを操作することができる。
【００３２】
実施の形態に係る土壌消毒機にあってはオリフィス部材１３、２８、２８を使用しているが、前記供給管２５、２５及び戻し管１０の一部をオリフィス形状にしても良い。またオリフィス部材１３、２８、２８の替りに、ニードルバルブその他の消毒液５０の流量を調整する部材を使用しても良い。また実施の形態に係る土壌消毒機にあっては、メインタンク３及びサブタンク４を使用しているが、大型のメインタンク３のみを使用する構成であっても良く、サブタンク４を更に追加した構成であっても良い。またメインタンク３及びサブタンク４をトラクタ１の後部に載置する構成であっても良い。またトラクタ１に替えてティラーその他の走行機体を使用しても良い。なお図６においては供給管８、８及びパイプ２３の記載を省略している。
【図面の簡単な説明】
【００３３】
【図１】実施の形態に係る土壌消毒機の要部構成を示す模式的側面外観図である。
【図２】実施の形態に係る土壌消毒機のメインタンク付近の略示拡大図である。
【図３】実施の形態に係る土壌消毒機のメインタンク及びサブタンクの略示平面図である。
【図４】実施の形態に係る土壌消毒機のオリフィス部材の略示分解断面図である。
【図５】実施の形態に係る土壌消毒機のフローメータ付近の略示拡大側面図である。
【図６】実施の形態に係る土壌消毒機のフローメータ付近の略示拡大正面図である。
【図７】実施の形態に係る土壌消毒機の管路を示す回路図である。
【符号の説明】
【００３４】
１  トラクタ（走行機体）
３  メインタンク
４  サブタンク
６  ポンプ
１０  戻し管
１２、２７  逆止弁
１３、２８  オリフィス部材
１５  注入刀（ノズル）
２５  供給管
２４  切替弁
２４ａ  切替レバー
【図１】
2008283905.tif 000003
【図２】
2008283905.tif 000004
【図３】
2008283905.tif 000005
【図４】
2008283905.tif 000006
【図５】
2008283905.tif 000007
【図６】
2008283905.tif 000008
【図７】
2008283905.tif 000009